(57)【要約】【課題】冷却効果を向上させた空気調和機の室外機を提供すること。【解決手段】本発明の空気調和機の室外機は、冷媒と大気とが熱交換を行う室外熱交換器と、室外熱交換器へ送風する送風ファンと、運転時に発熱する電子部品を内部に有する電装部と、電装部の下方部に吸入穴と、電装部の上方部に通気穴と、通気穴に接続される排気ダクトとを備え、送風ファンが駆動した時の負圧領域まで排気ダクトの開口端を延伸させることにより、送風ファン回転時には空気の流れが生じて排気を促進させるため、吸入穴より多くの空気が取り込まれる。【選択図】図１
2012137229.tif 000002
【特許請求の範囲】
【請求項１】
冷媒と大気とが熱交換を行う室外熱交換器と、前記室外熱交換器へ送風する送風ファンと、運転時に発熱する電子部品を内部に有する電装部と、前記電装部の下方部に吸入穴と、前記電装部の上方部に通気穴と、前記通気穴に接続される排気ダクトとを備え、前記送風ファンが駆動した時の負圧領域まで前記排気ダクトの開口端を延伸させることを特徴とする空気調和機の室外機。
【請求項２】
前記排気ダクトの開口端は、前記通気穴よりも下方に位置することを特徴とする請求項１に記載の空気調和機。
【請求項３】
前記排気ダクトに第１の仕切板と、前記通気穴に第２の仕切板とを備え、前記第１の仕切板は前記排気ダクトの上端から下方に向かって配置され、前記第２の仕切板は前記通気穴の下端から上方に向かって配置され、前記通気穴から前記排気ダクトの開口端までの流路において、前記第１の仕切板と前記第２の仕切板との投影面に重なりを設けたことを特徴とする請求項１または２に記載の空気調和機の室外機。
【発明の詳細な説明】
【技術分野】
【０００１】
本発明は空気調和機の室外機内に設けられた電子制御装置の冷却に関するものである。
【背景技術】
【０００２】
従来の空気調和機の室外機には、冷媒を圧縮する圧縮機、圧縮された冷媒を熱交換器に送る配管と熱交換器、その熱交換を効果的に行うために熱交換器に風を送る送風ファン、および、商用交流電源を整流素子で直流化して圧縮機のモータの可変回転数制御を行うインバータ回路や、インバータ回路から出るノイズを抑制するノイズフィルター回路を搭載した電子制御装置部を備えている。
【０００３】
そして、インバータ回路やノイズフィルター回路には高電流が通電されるため運転時には回路部品より発熱し高温となり、さらには電子制御装置部は多くの場合、圧縮機の上部に配置されており、運転時にはこの圧縮機の発熱と、前記回路部品の発熱により電子部品周辺の温度が高温となるため、短期間で電子部品の故障を招く等、様々な問題を引き起こす原因となっている。
【０００４】
そのため、電子制御装置が収められた収納箱に吸気口と排気口を設け、その排気口を収納箱下面の室外機ファン回路内の設けることにより、電子制御装置部の収納箱内に空気を流入させて電子制御装置部を冷却するものがある（例えば、特許文献１参照）。
【先行技術文献】
【特許文献】
【０００５】
【特許文献１】特開２００４−３０１４７７号公報
【発明の概要】
【発明が解決しようとする課題】
【０００６】
しかしながら、前記従来の構成では、排気口を室外機ファン回路内に設けることにより、電子制御装置部が収められた箱内へ吸入口より空気を取り入れて電子部品を冷却するものであるが、排気口を室外機ファン回路内に設けただけでは吸入口から取り入れられる空気は十分ではなく、冷却効果も十分ではないという課題を有していた。
【０００７】
本発明は、前記従来の課題を解決するもので、より冷却効果を向上させた空気調和機の室外機を提供することを目的とする。
【課題を解決するための手段】
【０００８】
前記従来の課題を解決するために、本発明の空気調和機の室外機は、冷媒と大気とが熱交換を行う室外熱交換器と、室外熱交換器へ送風する送風ファンと、運転時に発熱する電子部品を内部に有する電装部と、電装部の下方部に吸入穴と、電装部の上方部に通気穴と、通気穴に接続される排気ダクトとを備え、送風ファンが駆動した時の負圧領域まで排気ダクトの開口端を延伸させることにより、送風ファン回転時には空気の流れが生じて排気を促進させるため、吸入穴より多くの空気が取り込まれることにより、電子部品の冷却に十分な空気を循環させることができ、さらに通気穴を電装部の上方部に設けて、送風ファン停止時であっても、発熱した空気の上昇作用を用いて空気を循環させることができ、電装部の雰囲気温度の上昇を抑制することができる。
【発明の効果】
【０００９】
本発明は、電装部の冷却効果を向上させた空気調和機の室外機を提供することができる
。
【図面の簡単な説明】
【００１０】
【図１】本発明の実施の形態１における空気調和機の室外機の分解斜視図
【図２】同実施の形態１における空気調和機の室外機の要部断面図
【図３】従来の空気調和機の室外機の分解斜視図
【図４】従来の空気調和機の室外機の要部断面図
【発明を実施するための形態】
【００１１】
第１の発明の空気調和機の室外機は、冷媒と大気とが熱交換を行う室外熱交換器と、室外熱交換器へ送風する送風ファンと、運転時に発熱する電子部品を内部に有する電装部と、電装部の下方部に吸入穴と、電装部の上方部に通気穴と、通気穴に接続される排気ダクトとを備え、送風ファンが駆動した時の負圧領域まで排気ダクトの開口端を延伸させることにより、送風ファン回転時には空気の流れが生じて排気を促進させるため、吸入穴より多くの空気が取り込まれることにより、電子部品の冷却に十分な空気を循環させることができ、さらに通気穴を電装部の上方部に設けて、送風ファン停止時であっても、発熱した空気の上昇作用を用いて空気を循環させることができ、電装部の雰囲気温度の上昇を抑制することができる。
【００１２】
第２の発明の空気調和機の室外機は、特に第１の発明において、排気ダクトの開口端は、通気穴よりも下方に位置することにより、雨の吹き込みによる電装部の水濡れを防止することが出来る。
【００１３】
第３の発明の空気調和機の室外機は、特に第１または第２の発明において、排気ダクトに第１の仕切板と、通気穴に第２の仕切板とを備え、第１の仕切板は排気ダクトの上端から下方に向かって配置され、第２の仕切板は通気穴の下端から上方に向かって配置され、通気穴から排気ダクトの開口端までの流路において、第１の仕切板と第２の仕切板との投影面に重なりを設けたことにより、雨の吹き込みによる電装部の水濡れを防止することができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における空気調和機の室外機の正面図であり、図２は、本発明の実施の形態１における空気調和機の室外機の上面図である。
【００１６】
図１および図２において、本実施の形態の空気調和機の室外機は、冷媒を圧縮する圧縮機１０と、大気と冷媒とが熱交換を行なう室外熱交換器１２と、室外熱交換器１２へ送風し熱交換を促進させる送風ファン３を有している。
【００１７】
また、空気の流れを制御する通風制御板４と、送風ファンを回転させるためのファンモータ１３と、送風ファン３が駆動した時に発生する風の流れる送風回路１４と、送風回路１４と圧縮機１０を配置するスペースとを仕切るための仕切り板１５とを設けている。
【００１８】
さらに、圧縮機１０の上方部には各構成部品を制御する電装部１１が配置されている。電装部１１には、インバータ制御により圧縮機１０に流す運転電流を通電させるためのトランジスタモジュール６や、交流電源を整流して発生した直流電圧を貯める電解コンデンサ７、インバータ制御により発生する電気ノイズを低減させるノイズフィルター８等が配置されたプリント基板が配置され、導体パターンやリード線を用いて各電気回路が接続さ
れている。なお、図示はしないが、その一部には各種センサーや電磁弁を駆動させる入出回路やマイコン制御回路も有している。
【００１９】
また、トランジスタモジュール６は運転時に発熱が大きいため放熱板５が取り付けられており、放熱板５の一部は送風回路１４側へ突出している。そのため、送風回路１４を流れる風によって強制冷却されるが、トランジスタモジュール６と同様に運転時に発熱する部品である電解コンデンサ７やノイズフィルター８は電装部１１内を流れる空気によって冷却する必要がある。
【００２０】
そこで本実施の形態では、電装部１１の下方部には吸入穴９が設け、電装部１１の上方部には通気穴１６を設けている。さらに、通気穴１６には排気ダクト１が接続され、排気ダクト１の開口端２は送風回路１４内に生じる負圧領域に設けられている。
【００２１】
このように構成することによって、送風ファン３が回転した時に、吸入穴９から通気穴１６へ風が流れることが促進され、電装部１１の冷却効果を高めることができる。
【００２２】
さらに、送風ファン３を停止した時であっても、発熱した空気の上昇作用を用いて、電装部１１内に空気流れを発生させることができ、冷却効果を高めることができる。
【００２３】
（実施の形態２）
図３は本発明の実施の形態２における空気調和機の室外機の要部拡大図である。図３に示すように通気穴１６の位置よりも一段下がった位置に排気ダクト１の空気流れを形成している。
【００２４】
つまり、排気ダクト１の開口端２が通気穴１６よりも下方に位置させることで、暴風雨時に生じる吹き込みで電装部１１に水が浸入することを防ぐことが出来る。
【００２５】
（実施の形態３）
図４は本発明の実施の形態３における空気調和機の室外機の要部拡大図である。図４に示すように、排気ダクト１の内部において、排気ダクト１の上端から第１の仕切板３１を下方に向けて延伸させ、通気穴１６には下端から第２の仕切板３２を上方に向けて延伸させている。
【００２６】
そして、排気ダクトの上端から下端までの長さをＬにしたときに、第１の仕切板３１の長さは少なくとも長さＬの半分以上を有し、第２の仕切板３２の長さは少なくとも長さＬの半分以上を有する。
【００２７】
このように構成することによって、通気穴１６から排気ダクトの開口端までの流路においては、第１の仕切板３１と第２の仕切板３２のそれぞれの投影面が重なることになり、排気ダクト１内に障害物となる。その結果、雨の吹き込みによる電装部１１の水濡れを防止することができる。なお、投影面とは図４に矢印で示す方向を指し、投影面が重なるとは、通気穴１６から開口端２方向を覗いたときに第１の仕切板３１もしくは第２の仕切板３２のいずれかしか目視することができず、開口端２を確認できない状態のことを指す。
【産業上の利用可能性】
【００２８】
本発明にかかる空気調和機の室外機は、熱交換器や送風機を内蔵するヒートポンプ式給湯機の室外機にも適用できる。
【符号の説明】
【００２９】
１  排気ダクト
２  開口端
３  送風ファン
９  吸入穴
１０  圧縮機
１１  電装部
１２  室外熱交換器
１４  送風回路
１６  通気穴
【図１】
2012137229.tif 000003
【図２】
2012137229.tif 000004
【図３】
2012137229.tif 000005
【図４】
2012137229.tif 000006